【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
情報記録媒体への記録方法であって、
前記情報記録媒体は、
第１の記録層と第２の記録層を有し、
前記第１の記録層は、ユーザデータを記録するための第１のデータ記録領域と、前記第１のデータ記録領域以外の領域で前記ユーザデータ以外の制御情報が記録される第１の制御情報記録領域とを含み、
前記第２の記録層は、前記ユーザデータ以外の制御情報が記録される第２の制御情報記録領域を含み、
前記記録方法は、
前記制御情報の記録を行う際に、前記第１の制御情報記録領域が使用不能である場合には、前記第２の制御情報記録領域に前記制御情報の記録を行うステップを含む、記録方法。
【請求項２】
前記第１の記録層は、レーザ光の照射により情報が読み出されるレーザ照射側表面から遠い側に配置されている、請求項１に記載の記録方法。
【請求項３】
前記第１の記録層は、前記第１のデータ記録領域よりも内周側に、前記第１の制御情報記録領域を含む第１の内周領域を含み、
前記第２の記録層は、前記第２の制御情報記録領域を含む第２の内周領域を含み、
前記第１の内周領域と前記第２の内周領域とはほぼ同じ半径位置に配置されている、請求項１又は２に記載の記録方法。
【請求項４】
前記第１のデータ記録領域は、前記ユーザデータ以外の制御情報が記録される第３の制御情報記録領域を更に含み、
前記第２の制御情報記録領域が使用不能である場合には、前記第３の制御情報記録領域に前記制御情報の記録が行われる、請求項１から３のいずれかに記載の記録方法。
【請求項５】
前記第２の記録層は、ユーザデータを記録するための第２のデータ記録領域を更に含み、
前記第２のデータ記録領域は、前記ユーザデータ以外の制御情報が記録される第４の制御情報記録領域を更に含み、
前記第３の制御情報記録領域が使用不能である場合には、前記第４の制御情報記録領域に前記制御情報の記録が行われる、請求項４に記載の記録方法。
【請求項６】
前記第１のデータ記録領域は、第１のユーザデータ領域と第１のスペア領域を含み、
前記第３の制御情報記録領域は、前記第１のスペア領域内に含まれる、請求項４又は５に記載の記録方法。
【請求項７】
前記第２のデータ記録領域は、第２のユーザデータ領域と第２のスペア領域を含み、
前記第４の制御情報記録領域は、前記第２のスペア領域内に含まれる、請求項５又は６に記載の記録方法。
【請求項８】
前記第１の制御情報記録領域が使用不能である場合とは、前記制御情報を記録するために必要な領域が前記第１の制御情報記録領域で不足している場合である、請求項１から７のいずれかに記載の記録方法。
【請求項９】
第１の記録層と第２の記録層を有し、
前記第１の記録層は、ユーザデータを記録するための第１のデータ記録領域と、前記第１のデータ記録領域以外の領域で前記ユーザデータ以外の制御情報が記録される第１の制御情報記録領域とを含み、
前記第２の記録層は、前記ユーザデータ以外の制御情報が記録される第２の制御情報記録領域を含み、
前記制御情報の記録が行われる際に、前記第１の制御情報記録領域が使用不能である場合には、前記第２の制御情報記録領域に前記制御情報の記録が行われる、情報記録媒体。
【請求項１０】
請求項９に記載の情報記録媒体を再生する方法であって、
前記第１の制御情報記録領域から又は前記第２の制御情報記録領域から、前記制御情報を再生するステップを有する、再生方法。
【請求項１１】
情報記録媒体への記録方法であって、
前記情報記録媒体は、
ユーザデータを記録するためのデータ記録領域と、
前記データ記録領域以外の領域で前記ユーザデータ以外の制御情報が記録される第１の制御情報記録領域とを備え、
前記データ記録領域は、前記ユーザデータ以外の制御情報が記録される第２の制御情報記録領域を含み、
前記制御情報の記録を行う際に、前記第１の制御情報記録領域が使用不能である場合には、前記データ記録領域内の前記第２の制御情報記録領域に前記制御情報の記録を行う、記録方法。
【請求項１２】
前記情報記録媒体は、前記第２の制御情報記録領域における制御情報の記録に関する管理情報を記録するための所定領域を有し、
前記管理情報は、前記制御情報が前記第２の制御情報領域に記録された位置に関連したポインタ情報を含み、
前記所定領域に前記ポインタ情報の記録を行う、請求項１１に記載の記録方法。
【請求項１３】
前記所定領域は前記第１の制御情報記録領域に含まれる、請求項１２に記載の記録方法。
【請求項１４】
前記データ記録領域はユーザデータ領域とスペア領域を含み、
前記第２の制御情報記録領域は前記スペア領域内に含まれる、請求項１１から１３のいずれかに記載の記録方法。
【請求項１５】
前記データ記録領域以外の領域は、前記第１の制御情報記録領域に加え、再生専用領域とテスト記録領域と前記テスト記録領域の前後に隣接したバッファ領域を更にを含む、請求項１１に記載の記録方法。
【請求項１６】
前記第１の制御情報記録領域が使用不能である場合とは、前記制御情報を記録するために必要な領域が前記第１の制御情報記録領域で不足している場合である、請求項１１から１５のいずれかに記載の記録方法。
【請求項１７】
ユーザデータを記録するためのデータ記録領域と、
前記データ記録領域以外の領域で前記ユーザデータ以外の制御情報が記録される第１の制御情報記録領域とを備え、
前記データ記録領域は、前記ユーザデータ以外の制御情報が記録される第２の制御情報記録領域を含み、
前記制御情報の記録が行われる際に、前記第１の制御情報記録領域が使用不能である場合には、前記データ記録領域内の前記第２の制御情報記録領域に前記制御情報の記録が行われる、情報記録媒体。
【請求項１８】
前記第２の制御情報記録領域における制御情報の記録に関する管理情報を記録するための所定領域を有し、
前記管理情報は、前記制御情報が前記第２の制御情報領域に記録された位置に関連したポインタ情報を含む、請求項１７に記載の情報記録媒体。
【請求項１９】
請求項１７に記載の情報記録媒体を再生する方法であって、
前記第１の制御情報記録領域又は前記第２の制御情報記録領域から、前記制御情報を再生するステップを有する、再生方法。
【請求項２０】
請求項１８に記載の情報記録媒体を再生する方法であって、
前記所定領域から管理情報を再生するステップと、
前記管理情報に含まれるアドレスポインタに基づいて、前記第１の制御情報記録領域又は前記第２の制御情報記録領域から、前記制御情報を再生するステップを有する、再生方法。
【請求項２１】
ユーザデータを記録するためのデータ記録領域と、記録装置と媒体の組み合わせに依存する記録再生条件を含むドライブ制御情報を記録する制御情報記録領域とを備え、
前記データ記録領域は、前記制御情報記録領域が使用不能となった場合に更なるドライブ制御情報の記録に利用可能な領域と、前記データ記録領域内に記録されたドライブ制御情報に関する管理情報を記録可能な管理領域とを備えたことを特徴とする情報記録媒体。
【請求項２２】
前記管理情報は、前記データ記録領域内でドライブ制御情報の記録に使用した領域を示す番地情報を含むことを特徴とする請求項２１記載の情報記録媒体。
【請求項２３】
ユーザデータを記録するためのデータ記録領域と、データ記録領域の欠陥管理に使用される欠陥管理領域と、試し記録に利用されるテスト領域と、装置と媒体の組み合わせに依存する記録再生条件を含むドライブ制御情報を記録する制御情報記録領域とを備えた情報記録媒体に対して、記録再生条件の最適化を行いながら情報の記録を行う情報記録装置であって、
前記テスト領域及び前記制御情報記録領域が使用不能であるか否かを検出する検出手段と、
前記検出手段により前記テスト領域が使用不能でないと検出された場合には前記テスト領域内に、使用不能であると検出された場合には前記データ記録領域内に、前記試し記録を行う試し記録手段と、
前記検出手段により前記制御情報記録領域が使用不能でないと検出された場合には前記制御情報記録領域内に、使用不能であると検出された場合には前記データ記録領域内に、試し記録の実行結果に基づいて得た最適な記録再生条件を含むドライブ制御情報を更新記録するドライブ制御情報更新手段と、
前記試し記録が行われた位置を示す第１のアドレスポインタ及び前記ドライブ制御情報を更新記録した位置を示す第２のアドレスポインタのうち少なくとも一つを含む管理情報を前記欠陥管理領域に記録する管理情報記録手段とを備えた情報記録装置。
【請求項２４】
ユーザデータを記録するためのデータ記録領域と、記録装置によって試し記録に利用されるテスト領域とを備えた情報記録媒体に情報を記録する方法であって、
前記試し記録を行う際に前記テスト領域が使用不能であるか否かを検出し、
前記テスト領域が使用不能でないと検出された場合には前記テスト領域内において試し記録を行い、使用不能であると検出された場合には前記データ記録領域内において試し記録を行い、
前記データ記録領域内において実施された試し記録に関する管理情報を所定領域に記録する
ことを特徴とする情報記録方法。
【請求項２５】
前記管理情報は、試し記録が行われた位置を示すアドレスポインタを含み、前記情報記録媒体は、データ記録領域の欠陥管理に使用される欠陥管理領域をさらに含み、前記所定領域は前記欠陥管理領域である、ことを特徴とする請求項２４記載の情報記録方法。
【請求項２６】
前記情報記録媒体は光学的方法により情報の読み出しを行うディスク記録媒体であって、複数の情報記録層を有し、
前記データ記録領域内の試し記録において、前記情報記録媒体の情報の読み出し面から物理的に遠い方の記録層の領域から順に使用されることを特徴とする請求項２５記載の情報記録方法。
【請求項２７】
前記情報記録媒体は光学的方法により情報の読み出しを行うディスク記録媒体であって、複数の情報記録層を有し、
前記データ記録領域内の試し記録において、前記情報記録媒体の情報の読み出し面から物理的に最も遠い記録層のみが使用されることを特徴とする請求項２５記載の情報記録方法。
【請求項２８】
前記データ記録領域内の試し記録において、記録すべきユーザデータの記録位置が情報記録媒体の半径方向において所定位置より内側にあるときは、前記データ記録領域内の内側の所定領域に試し記録を行い、その内側の所定領域が使用不能であるときは、前記データ記録領域内の外側の所定領域に試し記録を行い、
記録すべきユーザデータの記録位置が情報記録媒体の半径方向において所定位置より外側にあるときは、前記データ記録領域内の外側の所定領域に試し記録を行い、その外側の所定領域が使用不能であるときは、前記データ記録領域内の内側の所定領域に試し記録を行う、ことを特徴とする請求項２５記載の情報記録方法。
【請求項２９】
前記データ記録領域はユーザデータ領域とスペア領域を含み、前記ユーザデータ領域における欠陥ブロックは前記スペア領域に代替されるとともに、前記管理情報は前記欠陥ブロックの位置及び前記スペア領域内の代替先の位置を示すアドレスポインタをさらに含み、前記テスト領域が使用不能であると検出された場合における前記試し記録はスペア領域内で行われることを特徴とする請求項２５記載の情報記録方法。
【請求項３０】
前記情報記録媒体は同心円状もしくはスパイラル状に形成されたトラックを有し、前記ユーザデータ領域と前記スペア領域は前記情報記録媒体の半径方向に分離して配置されるとともに、前記データ記録領域内の試し記録において、スペア領域内のユーザデータ領域から物理的に遠いトラックから順に使用される、ことを特徴とする請求項２９記載の情報記録方法。
【請求項３１】
前記管理情報には、前記テスト領域が使用不能であるか否かを示すフラグ情報を含むことを特徴とする請求項２４記載の情報記録方法。
【請求項３２】
前記管理情報には、データ記録領域において試し記録に使用した領域を欠陥ブロックとして登録するための欠陥リストを含むことを特徴とする請求項２４記載の情報記録方法。
【請求項３３】
情報記録媒体に情報を記録する記録手段の動作を制御する記録制御装置であって、
前記情報記録媒体上の連続する領域に対して所定方向に情報を記録するように前記記録手段を制御し、さらに、前記情報記録媒体に所望の情報を追記する際に、既に情報が記録されている領域に連続する未使用領域においてテスト記録を行い、そのテスト記録が行われた領域の後の領域に前記所望の情報を記録するように前記記録手段を制御する、ことを特徴とする記録制御装置。
【請求項３４】
ユーザデータを記録するためのデータ記録領域と、前記ユーザデータの記録以外の用途に使用される非ユーザデータ領域とを備えた情報記録媒体に情報を記録する記録手段の動作を制御する記録制御装置であって、
本来非ユーザデータ領域に記録されるべき情報を前記データ記録領域に記録し、該非ユーザデータ領域に記録されるべき情報の前記データ記録領域への記録に関する管理情報を所定領域に記録するように前記記録手段を制御する
ことを特徴とする記録制御装置。
【請求項３５】
ユーザデータを記録するためのデータ記録領域と、試し記録に利用されるテスト領域とを備えた情報記録媒体に情報を記録する記録手段の動作を制御する記録制御装置であって、
前記試し記録を行う際に前記テスト領域が使用不能であるか否かを検出し、前記テスト領域が使用不能でないと検出された場合には前記テスト領域内において試し記録を行い、使用不能であると検出された場合には前記データ記録領域内において試し記録を行い、前記データ記録領域内において実施された試し記録に関する管理情報を所定領域に記録するように前記記録手段を制御する
ことを特徴とする記録制御装置。
【請求項３６】
ユーザデータを記録するためのデータ記録領域と、前記ユーザデータ以外の制御情報が記録される制御情報記録領域とを備えた情報記録媒体に情報を記録する記録手段の動作を制御する記録制御装置であって、
前記制御情報の記録を行う際に、前記制御情報記録領域が使用不能であるか否かを検出し、前記制御情報記録領域が使用不能でないと検出された場合には、前記制御情報記録領域内に前記制御情報の記録を行い、前記制御情報記録領域が使用不能であると検出された場合には、前記データ記録領域内に前記制御情報の記録を行い、前記データ記録領域内における制御情報の記録に関する管理情報を所定領域に記録するように前記記録手段を制御する
ことを特徴とする記録制御装置。
【請求項３７】
情報記録媒体、又は、前記情報記録媒体を製造するための方法、又は、前記方法を実行するためのプログラム、又は、前記方法を実現するための製造設備であって、
前記情報記録媒体は、第１の記録層と第２の記録層を有し、前記第１の記録層は、第１の試し記録領域を含み、前記第２の記録層は、第２の試し記録領域を含み、
前記第１の試し記録領域は内周側から使用され、前記第２の試し記録領域は外周側から使用される、
情報記録媒体又は、前記情報記録媒体を製造するための方法、又は、前記方法を実行するためのプログラム、又は、前記方法を実現するための設備。